(57)【要約】【課題】ＤＶＤの再生開始時において、ユーザ所望の操作を可能にして動作検査をより効率的に行えるＤＶＤ再生装置を提供する。【解決手段】ＤＶＤ再生装置に、再生モードを設定するための操作部と、ＣＰＵ１１に、再生モードを判断させる再生モード判断プログラム１３ａと、再生モードが通常再生モードであると判断した際にＵＯＰ情報を取得させるＵＯＰ情報取得プログラム１３ｂと、操作命令がＵＯＰ情報中の禁止操作か否かを判断させる禁止操作判断プログラム１３ｃと、操作命令が禁止操作であると判断した際に操作命令を無効にし、操作命令が禁止操作ではないと判断した際に操作命令に対応する処理を実行させる通常再生モード制御プログラム１３ｄと、再生モードが動作検査モードであると判断した際に操作命令に対応する処理を実行させる動作検査モード制御プログラム１３ｅと、表示部に「動作検査モード」と表示させる表示制御プログラム１３ｆとを備えた。【選択図】図２
2006216112.tif 000002
【特許請求の範囲】
【請求項１】
ＤＶＤ再生装置において、
通常再生モードと動作検査モードとのうちのどちらかを設定する設定手段と、
操作命令を入力するための入力手段と、
前記設定手段により設定された再生モードが前記通常再生モードと前記動作検査モードとのうちのどちらであるかを判断する再生モード判断手段と、
前記再生モード判断手段により、設定された再生モードが通常再生モードであると判断された場合に、ＤＶＤに記憶されたＵＯＰ情報を取得するＵＯＰ情報取得手段と、
前記入力手段により入力された前記操作命令が前記ＵＯＰ情報取得手段により取得された前記ＵＯＰ情報中の禁止操作か否かを判断する禁止操作判断手段と、
前記禁止操作判断手段により、前記操作命令が前記ＵＯＰ情報中の禁止操作であると判断された場合に、前記操作命令を無効にするとともに、前記禁止操作判断手段により、前記操作命令が前記ＵＯＰ情報中の禁止操作ではないと判断された場合に、前記操作命令に対応する処理を実行させる通常再生モード制御手段と、
前記再生モード判断手段により、設定された再生モードが動作検査モードであると判断された場合に、前記操作命令に対応する処理を実行させる動作検査モード制御手段と、
前記再生モード判断手段により、設定された再生モードが動作検査モードであると判断された場合に、所定の表示部に動作検査モードである旨を表示させる表示制御手段と、
を備えることを特徴とするＤＶＤ再生装置。
【請求項２】
ＤＶＤ再生装置において、
操作命令を入力するための入力手段と、
設定されている再生モードが通常再生モードと動作検査モードとのうちのどちらであるかを判断する再生モード判断手段と、
前記再生モード判断手段により、設定されている再生モードが通常再生モードであると判断された場合に、ＤＶＤに記憶されたＵＯＰ情報を取得するＵＯＰ情報取得手段と、
前記入力手段により入力された前記操作命令が前記ＵＯＰ情報取得手段により取得された前記ＵＯＰ情報中の禁止操作か否かを判断する禁止操作判断手段と、
前記禁止操作判断手段により、前記操作命令が前記ＵＯＰ情報中の禁止操作であると判断された場合に、前記操作命令を無効にするとともに、前記禁止操作判断手段により、前記操作命令が前記ＵＯＰ情報中の禁止操作ではないと判断された場合に、前記操作命令に対応する処理を実行させる通常再生モード制御手段と、
前記再生モード判断手段により、設定されている再生モードが動作検査モードであると判断された場合に、前記操作命令に対応する処理を実行させる動作検査モード制御手段と、
を備えることを特徴とするＤＶＤ再生装置。
【請求項３】
請求項２記載のＤＶＤ再生装置において、
前記通常再生モードと前記動作検査モードとのうちのどちらかを設定する設定手段を備えることを特徴とするＤＶＤ再生装置。
【請求項４】
請求項２又は３記載のＤＶＤ再生装置において、
前記再生モード判断手段により、設定された再生モードが動作検査モードであると判断された場合に、所定の表示部に動作検査モードである旨を表示させる表示制御手段を備えることを特徴とするＤＶＤ再生装置。
【発明の詳細な説明】
【技術分野】
【０００１】
本発明は、ＤＶＤ再生装置に関する。
【背景技術】
【０００２】
従来、ＤＶＤ（Digital  Versatile  Disc）再生装置にてＤＶＤを再生すると、本編の前に、製作会社や販売元のロゴ画面やメニュー画面等が再生されるようになっており、通常このようなメニュ画面等の再生においては、ＤＶＤに含まれるＵＯＰ情報により、早送り操作やスキップ操作が禁止され、これらメニュー画面等を飛ばしていきなり本編から再生することはできないようになっている。そこで、最初にセットアップメニュー画面を表示して、セットアップメニュー画面中に設けられた「いきなり再生」キーを選択すると、本編の最初のタイトル画面から再生できるようにしたものが知られている（特許文献１）。
【０００３】
また、ランダム再生においてメニュー画面が表示されると、ランダム再生が中断されることとなってしまうのを防ぐために、ランダム再生においては、ＤＶＤ再生装置に記憶された再生順序を制御する情報を無効にするものも知られている（特許文献２）。
【特許文献１】特開２００３−０８７７４８
【特許文献２】特開２００３−１８９２５２
【発明の開示】
【発明が解決しようとする課題】
【０００４】
ところで、ＤＶＤ再生装置の開発・製造においては、ＤＶＤ再生装置の動作を検査する動作検査が行われる。ＤＶＤ再生装置の動作検査は、実際にＤＶＤを再生しながら種々の操作を行って誤動作等が生じないか否かを調べることにより行われている。しかし、ＤＶＤを再生すると本編の前にメニュー画面等が再生され、これらメニュー画面等の再生においては、スキップや早送り等のユーザ所望の操作が行えないようにされているので、ＤＶＤ再生装置の動作検査がその分遅くなるという問題がある。また、特許文献１に記載の発明では、タイトル画面からの再生においてユーザ所望の操作が行えるだけであるため、ＤＶＤの再生開始からタイトル画面までの間において、スキップや早送り等のユーザ所望の操作が行えず、上記の問題を解決することはできない。また、特許文献２に記載の発明では、ランダム再生を設定する必要があるが、その際には、やはりメニュー画面等を再生する必要があり、当該メニュー画面等の再生において、スキップや早送り等のユーザ所望の操作が行えず、上記の問題を解決することができない。
【０００５】
本発明の課題は、ＤＶＤの再生開始時において、ユーザ所望の操作を可能にして動作検査をより効率的に行えるＤＶＤ再生装置を提供することである。
【課題を解決するための手段】
【０００６】
請求項１に記載の発明は、ＤＶＤ再生装置において、通常再生モードと動作検査モードとのうちのどちらかを設定する設定手段と、操作命令を入力するための入力手段と、前記設定手段により設定された再生モードが前記通常再生モードと前記動作検査モードとのうちのどちらであるかを判断する再生モード判断手段と、前記再生モード判断手段により、設定された再生モードが通常再生モードであると判断された場合に、ＤＶＤに記憶されたＵＯＰ情報を取得するＵＯＰ情報取得手段と、前記入力手段により入力された前記操作命令が前記ＵＯＰ情報取得手段により取得された前記ＵＯＰ情報中の禁止操作か否かを判断する禁止操作判断手段と、前記禁止操作判断手段により、前記操作命令が前記ＵＯＰ情報中の禁止操作であると判断された場合に、前記操作命令を無効にするとともに、前記禁止操作判断手段により、前記操作命令が前記ＵＯＰ情報中の禁止操作ではないと判断された
場合に、前記操作命令に対応する処理を実行させる通常再生モード制御手段と、
前記再生モード判断手段により、設定された再生モードが動作検査モードであると判断された場合に、前記操作命令に対応する処理を実行させる動作検査モード制御手段と、前記再生モード判断手段により、設定された再生モードが動作検査モードであると判断された場合に、所定の表示部に動作検査モードである旨を表示させる表示制御手段と、を備えることを特徴としている。
【０００７】
請求項２に記載の発明は、ＤＶＤ再生装置において、操作命令を入力するための入力手段と、設定されている再生モードが通常再生モードと動作検査モードとのうちのどちらであるかを判断する再生モード判断手段と、前記再生モード判断手段により、設定されている再生モードが通常再生モードであると判断された場合に、ＤＶＤに記憶されたＵＯＰ情報を取得するＵＯＰ情報取得手段と、前記入力手段により入力された前記操作命令が前記ＵＯＰ情報取得手段により取得された前記ＵＯＰ情報中の禁止操作か否かを判断する禁止操作判断手段と、前記禁止操作判断手段により、前記操作命令が前記ＵＯＰ情報中の禁止操作であると判断された場合に、前記操作命令を無効にするとともに、前記禁止操作判断手段により、前記操作命令が前記ＵＯＰ情報中の禁止操作ではないと判断された場合に、前記操作命令に対応する処理を実行させる通常再生モード制御手段と、
前記再生モード判断手段により、設定されている再生モードが動作検査モードであると判断された場合に、前記操作命令に対応する処理を実行させる動作検査モード制御手段と、を備えることを特徴としている。
【０００８】
請求項３に記載の発明は、請求項２に記載のＤＶＤ再生装置において、前記通常再生モードと前記動作検査モードとのうちのどちらかを設定する設定手段を備えることを特徴としている。
【０００９】
請求項４に記載の発明は、請求項２又は３に記載のＤＶＤ再生装置において、前記再生モード判断手段により、設定された再生モードが動作検査モードであると判断された場合に、所定の表示部に動作検査モードである旨を表示させる表示制御手段と、を備えることを特徴としている。
【発明の効果】
【００１０】
請求項１に記載の発明によれば、設定手段により、通常再生モードと動作検査モードとのうちのどちらかが設定され、入力手段により、操作命令が入力され、再生モード判断手段により、設定手段により設定された再生モードが通常再生モードと動作検査モードとのうちのどちらであるかが判断され、再生モード判断手段により、設定された再生モードが通常再生モードであると判断された場合に、ＵＯＰ情報取得手段により、ＤＶＤに記憶されたＵＯＰ情報が取得される。次いで、禁止操作判断手段により、入力手段により入力された操作命令がＵＯＰ情報取得手段により取得されたＵＯＰ情報中の禁止操作か否かが判断され、通常再生モード制御手段により、操作命令がＵＯＰ情報中の禁止操作であると判断された場合に、操作命令を無効にするとともに、操作命令がＵＯＰ情報中の禁止操作ではないと判断された場合に、操作命令に対応する処理を実行させる。
【００１１】
また、設定された再生モードが動作検査モードであると判断された場合に、動作検査モード制御手段により操作命令に対応する処理を実行させ、表示制御手段により所定の表示部に動作検査モードである旨を表示させる。
【００１２】
従って、通常再生モードでは、ＵＯＰ情報中の禁止操作である操作命令を無効にすることができるとともに、動作検査モードでは、ＵＯＰ情報を取得しないので、ＵＯＰ情報中の禁止操作である操作命令であっても実行することができ、ＤＶＤの再生開始からユーザ所望の操作ができることとなって、動作検査をより効率的に行うことができる。
【００１３】
また、設定手段により、通常再生モードと動作検査モードとのうちのどちらかが設定さ
れるので、必要に応じて任意に動作検査モードを設定して動作検査を行うことができる。
【００１４】
また、設定された再生モードが動作検査モードであると判断された場合に、表示制御手段により所定の表示部に動作検査モードである旨が表示されるので、動作検査モード中であることが明示されることにより、動作検査モードを悪用して映像等を観賞しようとすることを防ぐことができる。
【００１５】
請求項２に記載の発明によれば、入力手段により、操作命令が入力され、再生モード判断手段により、設定されている再生モードが通常再生モードと動作検査モードとのうちのどちらであるかが判断され、再生モード判断手段により、設定されている再生モードが通常再生モードであると判断された場合に、ＵＯＰ情報取得手段により、ＤＶＤに記憶されたＵＯＰ情報が取得され、禁止操作判断手段により、操作命令がＵＯＰ情報取得手段により取得されたＵＯＰ情報中の禁止操作か否かが判断され、通常再生モード制御手段により、入力手段により入力された操作命令がＵＯＰ情報中の禁止操作であると判断された場合に、操作命令を無効にするとともに、操作命令がＵＯＰ情報中の禁止操作ではないと判断された場合に、操作命令に対応する処理を実行させ、設定されている再生モードが動作検査モードであると判断された場合に、動作検査モード制御手段により操作命令に対応する処理を実行させる。従って、通常再生モードでは、ＵＯＰ情報中の禁止操作である操作命令を無効にすることができるとともに、動作検査モードでは、ＵＯＰ情報を取得しないので、ＵＯＰ情報中の禁止操作である操作命令であっても実行することができ、ＤＶＤの再生開始からユーザ所望の操作ができることとなって、動作検査をより効率的に行うことができる。
【００１６】
請求項３に記載の発明は、請求項２に記載の発明と同様の効果が得られるのは勿論こと、特に、設定手段により、通常再生モードと動作検査モードとのうちのどちらかが設定されるので、必要に応じて任意に動作検査モードを設定して動作検査を行うことができる。
【００１７】
請求項４に記載の発明は、請求項２又は３に記載の発明と同様の効果が得られるのは勿論こと、特に、設定された再生モードが動作検査モードであると判断された場合に、表示制御手段により所定の表示部に動作検査モードである旨が表示されるので、動作検査モード中であることが明示されることにより、動作検査モードを悪用して映像等を観賞しようとすることを防ぐことができる。
【発明を実施するための最良の形態】
【００１８】
以下、図を参照して本発明に係るＤＶＤ再生装置を実施するための最良の形態を詳細に説明する。
＜ＤＶＤ再生装置の構成＞
次に、本発明にかかるＤＶＤ再生装置１００の構成について、図１を参照しながら説明する。
【００１９】
ＤＶＤ再生装置１００は、図１に示すように、ピックアップ１，ＲＦアンプ２，モータ３，サーボ回路４，信号処理回路５，トラックバッファ６，システムデコーダ７，操作部８，表示部９，システムマイコン１０等を備えて構成される。
【００２０】
ピックアップ１は、所定波長のレーザ光をディスクｄの記録面に向けて照射し、その反射光を受けて電気信号（反射光検出信号）に変換する。また、ピックアップ１は、この反射光検出信号をＲＦアンプ２に出力する。なお、ピックアップ１は、ディスクｄからの対象のデータを適宜読み出すことができるように、所定のガイド軸等により、ディスクｄの径方向に移動自在に指示されている。
【００２１】
ＲＦアンプ２は、ピックアップ１から出力された反射光検出信号からＲＦ信号，トラッ
キング信号，フォーカス信号等を生成する。さらに、ＲＦアンプ２は、ＲＦ信号をデータスライスした二値化信号を生成する。ＲＦアンプ２は、生成したトラッキング信号等をサーボ回路４に出力し、また、生成した二値化信号を再生信号として信号処理回路５に出力する。
【００２２】
モータ３は、ディスクｄを搭載する所定のターンテーブルを回転させるためのスピンドルモータ等からなる。モータ３は、サーボ回路４により制御され、ディスクｄを例えば線速度が一定となるように回転運動させる。
【００２３】
サーボ回路４は、モータ３を駆動制御し、所定の回転速度で回転駆動させる。また、サーボ回路４は、ＲＦアンプ２から出力されるトラッキング信号等によりスレッドモータ（図示省略）を駆動制御し、ピックアップ１をディスクｄの径方向に適宜移動させる。
【００２４】
信号処理回路５は、ＲＦアンプ２から出力される再生信号を復調するとともに、誤り訂正処理等を施す。信号処理回路５は、この復調等により得られた復調データをトラックバッファ６に順次出力する。
【００２５】
トラックバッファ６は、所定容量のＲＡＭ（Random  Access  Memory）（図示省略）等からなり、信号処理回路５から出力された復調データを順次記憶する。なお、トラックバッファ６に記憶された復調データは、システムデコーダ７に逐次出力される。
【００２６】
システムデコーダ７は、トラックバッファ６から出力された復調データをデコードして、映像データ及び音声データ等を生成する。システムデコーダ７は、生成した映像データ及び音声データ等を所定のＡＶアンプ（図示省略）等に出力する。
【００２７】
操作部８は、例えば、リモコン（図示省略）又はＤＶＤ再生装置１００本体に設けられた各種操作キー（図示省略）を備えて構成される。より具体的には、操作部８は、通常再生モードキー８ａ，動作検査モードキー８ｂ等を備え、ユーザが当該通常再生モードキー８ａ及び動作検査モードキー８ｂのどちらかを選択することにより、通常再生モードと動作検査モードとのうちのどちらかを設定することができる。これにより、操作部８は設定手段として機能する。
【００２８】
また、ユーザが操作部８の各種操作キーを押下することにより、操作命令がＤＶＤ再生装置１００に入力される。これにより、操作部８は入力手段として機能する。
【００２９】
表示部９は、ＬＣＤ（Liquid  Crystal  Dysplay）パネル等からなり、ＤＶＤ再生装置１００の動作状況やＤＶＤの再生による映像等を表示する。
【００３０】
システムマイコン１０は、例えば、図２に示すように、ＣＰＵ（Central  Processing
Unit）１１，ＲＡＭ１２，記憶部１３等を備えて構成される。
【００３１】
ＣＰＵ１１は、記憶部１３に格納された処理プログラム等を読み出して、ＲＡＭ１２に展開して実行することにより、ＤＶＤ再生装置１００全体の制御を行う。
【００３２】
ＲＡＭ１２は、ＣＰＵ１１により実行された処理プログラム等を、ＲＡＭ１２内のプログラム格納領域に展開するとともに、入力データや上記処理プログラムが実行される際に生じる処理結果等をワークエリアに格納する。
【００３３】
記憶部１３は、例えば、プログラムやデータ等が予め記憶されている記録媒体（図示せず）を有しており、半導体メモリ等で構成されている。また、記憶部１３は、ＣＰＵ１１がＤＶＤ再生装置１００全体を制御する機能を実現させるための各種データ，各種処理プログラム，これらプログラムの実行により処理されたデータ等を記憶する。より具体的に
は、記憶部１３は、例えば、図２に示すように、再生モード判断プログラム１３ａ，ＵＯＰ（User  Operation  Control）情報取得プログラム１３ｂ，禁止操作判断プログラム１３ｃ，通常再生モード制御プログラム１３ｄ，動作検査モード制御プログラム１３ｅ，表示制御プログラム１３ｆ等を格納している。
【００３４】
再生モード判断プログラム１３ａは、例えば、ＣＰＵ１１に、現在設定されている再生モードが、通常再生モードと動作検査モードとのうちのどちらであるかを判断する機能を実現させるプログラムである。より具体的には、ＣＰＵ１１に、ユーザが操作部８の通常再生モードキー８ａ又は動作検査モードキー８ｂを押下することによりＤＶＤ再生装置１００に入力された再生モードの設定情報が、通常再生モードと動作検査モードとのうちのどちらであるかを判断する機能を実現させるプログラムである。ＣＰＵ１１は、かかる再生モード判断プログラム１３ａを実行することにより、再生モード判断手段として機能する。
【００３５】
ＵＯＰ情報取得プログラム１３ｂは、例えば、ＣＰＵ１１に、ディスクｄの任意の場所に記憶されているＵＯＰ情報を取得する機能を実現させるプログラムである。ここで、ＵＯＰ情報とは、ユーザの操作を制限する情報であって、ＤＶＤディスクの作成者によりディスクの任意の場所に挿入されている。ＣＰＵ１１は、かかるＵＯＰ情報取得プログラム１３ｂを実行することにより、ＵＯＰ情報取得手段として機能する。
【００３６】
禁止操作判断プログラム１３ｃは、例えば、ＣＰＵ１１に、ユーザが操作部８の各種操作キーを押下することにより入力された操作命令が、取得したＵＯＰ情報中の禁止操作か否かを判断する機能を実現させるプログラムである。ＣＰＵ１１は、かかる禁止操作判断プログラム１３ｃを実行することにより、禁止操作判断手段として機能する。
【００３７】
通常再生モード制御プログラム１３ｄは、例えば、ＣＰＵ１１に、通常再生モードにおいて、ユーザが操作部８の各種操作キーを押下することによって入力された操作命令がＵＯＰ情報に記載されている禁止操作であると判断した場合に、当該操作命令を無効にするとともに、入力された操作命令がＵＯＰ情報中のいる禁止操作ではないと判断した場合に、当該操作命令に対応する処理を実行する機能を実現させるプログラムである。ＣＰＵ１１は、かかる通常再生モード制御プログラム１３ｄを実行することにより、通常再生モード制御手段として機能する。
【００３８】
動作検査モード制御プログラム１３ｅは、例えば、ＣＰＵ１１に、動作検査モードにおいて、ユーザが操作部８の各種操作キーを押下することによって入力された操作命令に対応する処理を実行する機能を実現させるプログラムである。ＣＰＵ１１は、かかる動作検査モード制御プログラム１３ｅを実行することにより、動作検査モード制御手段として機能する。
【００３９】
表示制御プログラム１３ｆは、例えば、ＣＰＵ１１に、再生モード判断プログラム１３ａを実行することにより、設定された再生モードが動作検査モードであると判断した場合に、表示部９に「動作検査モード」と表示させる機能を実現させるプログラムである。ＣＰＵ１１は、かかる表示制御プログラム１３ｆを実行することにより、表示制御手段として機能する。
＜ＤＶＤ再生装置の動作＞
次に、上述のような構成のＤＶＤ再生装置１００の動作について、図３に示すフローチャートを参照しながら説明する。
【００４０】
操作部８の各種操作キー（図示省略）からの出力を検知することにより、ＣＰＵ１１は、ユーザにより操作命令が入力されたか否かを判断する（ステップＳ１）。
【００４１】
ステップＳ１において、ＣＰＵ１１がユーザにより操作命令が入力されていないと判断した場合（ステップＳ１；Ｎｏ）、ユーザにより操作命令が入力されるまで待機する。
【００４２】
ステップＳ１において、ＣＰＵ１１がユーザにより操作命令が入力されたと判断した場合（ステップＳ１；Ｙｅｓ）、ＣＰＵ１１は、再生モード判断プログラム１３ａを実行することにより、設定された再生モードを判断する（ステップＳ２，ステップＳ３）。なお、予め、再生モードは、ユーザが操作部８の通常再生モードキー８ａ及び動作検査モードキー８ｂのどちらかを選択することにより、設定されている。
【００４３】
そして、まず、ＣＰＵ１１は、設定された再生モードが通常再生モードか否かを判断する（ステップＳ２）。
【００４４】
ステップＳ２において、ＣＰＵ１１が設定された再生モードは通常再生モードではないと判断した場合（ステップＳ２；Ｎｏ）、ＣＰＵ１１は、設定された再生モードが動作検査モードか否かを判断する（ステップＳ３）。
【００４５】
ステップＳ３において、ＣＰＵ１１が設定された再生モードは動作検査モードではないと判断した場合（ステップＳ３；Ｎｏ）、ＣＰＵ１１は、表示部９に「エラー」と表示させる（ステップＳ４）。
【００４６】
ステップＳ３において、ＣＰＵ１１が設定された再生モードは動作検査モードであると判断した場合（ステップＳ３；Ｙｅｓ）、ＣＰＵ１１は、動作検査モード制御プログラム１３ｅを実行することにより、操作命令に対応する処理を実行するとともに（ステップＳ５）、ＣＰＵ１１は、表示制御プログラム１３ｆを実行することにより、表示部９に「動作検査モード」と表示させる（ステップＳ６）。
【００４７】
ステップＳ２において、ＣＰＵ１１が設定された再生モードは通常再生モードであると判断した場合（ステップＳ２；Ｙｅｓ）、ＣＰＵ１１は、ＵＯＰ情報取得プログラム１３ｂを実行することにより、ディスクｄの任意の場所に記憶されているＵＯＰ情報を取得する（ステップＳ７）。
【００４８】
次に、ＣＰＵ１１は、禁止操作判断プログラム１３ｃを実行することにより、ユーザが操作部８の各種操作キーを押下することにより入力された操作命令が、取得したＵＯＰ情報中の禁止操作か否かを判断する（ステップＳ８）。
【００４９】
ステップＳ８において、ＣＰＵ１１が入力された操作命令がＵＯＰ情報中の禁止操作ではないと判断した場合（ステップＳ８；Ｎｏ）、ＣＰＵ１１は、通常再生モード制御プログラム１３ｄを実行することにより、操作命令に対応する処理を実行する（ステップＳ８）。
【００５０】
ステップＳ８において、ＣＰＵ１１が入力された操作命令がＵＯＰ情報中の禁止操作であると判断した場合（ステップＳ８；Ｙｅｓ）、ＣＰＵ１１は、通常再生モード制御プログラム１３ｄを実行することにより、操作命令を無効にする処理を行う（ステップＳ１０）。
【００５１】
以上に説明した、ＤＶＤ再生装置１００によれば、ユーザが操作部８の通常再生モードキー８ａ及び動作検査モードキー８ｂのどちらかを選択することにより、通常再生モードと動作検査モードとのうちのどちらかが設定され、ユーザが操作部８の各種操作キー（図示省略）を押下することにより操作命令が入力され、ＣＰＵ１１が、再生モード判断プログラム１３ａを実行することにより、設定された再生モードが通常再生モードと動作検査モードとのうちのどちらであるかを判断し、設定された再生モードが通常再生モードであると判断した場合に、ＵＯＰ情報取得プログラム１３ｂを実行することにより、ＤＶＤに
記憶されたＵＯＰ情報を取得する。次いで、ＣＰＵ１１が、禁止操作判断プログラム１３ｃを実行することにより、ユーザが操作部８の各種操作キーを押下することにより入力された操作命令がＵＯＰ情報中の禁止操作か否かを判断し、通常再生モード制御プログラム１３ｄを実行することにより、操作命令がＵＯＰ情報中の禁止操作であると判断した場合に操作命令を無効にするとともに、操作命令がＵＯＰ情報中の禁止操作ではないと判断した場合に操作命令に対応する処理を実行させる。
【００５２】
また、ＣＰＵ１１が、設定された再生モードが動作検査モードであると判断した場合に、動作検査モード制御プログラム１３ｅを実行することにより操作命令に対応する処理を実行させ、表示制御プログラム１３ｆを実行することにより表示部９に「動作検査モード」と表示させる。
【００５３】
従って、通常再生モードでは、ＵＯＰ情報中の禁止操作である操作命令を無効にすることができるとともに、動作検査モードでは、ＵＯＰ情報を取得しないので、ＵＯＰ情報中の禁止操作である操作命令であっても実行することができ、ＤＶＤの再生開始からユーザ所望の操作ができることとなって、動作検査をより効率的に行うことができる。
【００５４】
また、ユーザが操作部８の通常再生モードキー８ａ及び動作検査モードキー８ｂのどちらかを選択することにより、通常再生モードと動作検査モードとのうちのどちらかが設定されるので、必要に応じて任意に動作検査モードを設定して動作検査を行うことができる。
【００５５】
また、ＣＰＵ１１は、設定された再生モードが動作検査モードであると判断した場合に、表示制御プログラム１３ｆを実行することにより表示部９に「動作検査モード」と表示させるので、動作検査モード中であることが明示されることにより、動作検査モードを悪用して映像等を観賞しようとすることを防ぐことができる。
【００５６】
なお、本発明に係る実施形態では、表示部９が備えられているＤＶＤ再生装置１００を例示したが、表示部９は必ずしも備えられていなくとも良く、ＤＶＤ再生装置１００に液晶表示装置等の他の表示装置を接続して動作検査を行っても良い。
【図面の簡単な説明】
【００５７】
【図１】本発明に係るＤＶＤ再生装置の構成を示すブロック図である。
【図２】本発明に係るシステムマイコンの構成を示す図である。
【図３】本発明に係るＤＶＤ再生装置の動作を説明するフローチャートである。
【符号の説明】
【００５８】
８  操作部（設定手段,入力手段）
１１  ＣＰＵ（再生モード判断手段，ＵＯＰ情報取得手段，禁止操作判断手段，通常再生モード制御手段，動作検査モード制御手段，表示制御手段）
１３ａ  再生モード判断プログラム（再生モード判断手段）
１３ｂ  ＵＯＰ情報取得プログラム（ＵＯＰ情報取得手段）
１３ｃ  禁止操作判断プログラム（禁止操作判断手段）
１３ｄ  通常再生モード制御プログラム（通常再生モード制御手段）
１３ｅ  動作検査モード制御プログラム（動作検査モード制御手段）
１３ｆ  表示制御プログラム（表示制御手段）
１００  ＤＶＤ再生装置
【図１】
2006216112.tif 000003
【図２】
2006216112.tif 000004
【図３】
2006216112.tif 000005